(57)【要約】  複数のサービスを収容し、収容した複数のサービスを対応する伝送装置へそれぞれ送信することができるようにする。  本発明の光送信器は、制御信号に基づいてサブキャリアを複数の出力ポートへ出力するサブキャリア調整手段、制御信号に基づいてクライアントデータを複数の出力レーンへマッピングする符号化処理手段、対応する出力ポートを介して入力されたサブキャリアを対応する出力レーンを介して入力されたクライアントデータによって変調し、変調信号を出力する複数の変調手段、および、送信情報に基づいて制御信号を生成して出力する制御手段を備える。
2015141188.tif 000002
【特許請求の範囲】
【請求項１】
送信情報に基づいて制御信号を生成する制御手段と、
前記制御信号に基づいて、サブキャリアを複数の出力ポートへ出力するサブキャリア調整手段と、
前記制御信号に基づいて、クライアントデータを複数の出力レーンへマッピングする符号化処理手段と、
前記出力ポートを介して入力されたサブキャリアを、前記出力レーンを介して入力されたクライアントデータによって変調し、変調信号を出力する複数の変調手段と、
を備える光送信器。
【請求項２】
前記送信情報に基づいて、出力された複数の前記変調信号を集約し、ガードバンドを付与して送信信号として出力する出力手段をさらに備え、
前記制御手段は、前記付与されるガードバンドの数が小さくなるように、前記制御信号を生成する、
請求項１に記載の光送信器。
【請求項３】
前記サブキャリア調整手段の出力ポートとそれぞれ接続された（Ｎ＋Ｍ）個の入力部および（ｉ＋ｋ）個の出力部を備え、前記制御信号に基づいて、前記入力部を介して入力されたサブキャリアを対応する前記出力部を介して前記変調手段に振り当てる振当手段をさらに備え、
前記サブキャリア調整手段は、前記制御信号に基づいてサブキャリアを、Ｎ個の出力ポートから順次出力する第１のサブキャリア調整手段およびＭ個の出力ポートから順次出力する第２のサブキャリア調整手段を備え、
前記符号化処理手段は、前記制御信号に基づいてクライアントデータを、（ｉ＋ｋ）個の出力レーンにマッピングし、
前記出力手段は、前記第１のサブキャリア調整手段から出力されたサブキャリアによって生成された変調信号を集約し、前記第２のサブキャリア調整手段から出力されたサブキャリアによって生成された変調信号を集約する、
請求項２に記載の光送信器。
【請求項４】
互いに異なる波長のサブキャリアを生成し、第１のサブキャリア調整手段および第２のサブキャリア調整手段へそれぞれ出力する第１のサブキャリア生成手段および第２のサブキャリア生成手段をさらに備える、請求項３に記載の光送信器。
【請求項５】
サブキャリアを生成して前記第１のサブキャリア調整手段および第２のサブキャリア調整手段へ分配するサブキャリア生成手段をさらに備え、
前記出力手段は、前記第１のサブキャリア調整手段に対応して集約された変調信号と、前記第２のサブキャリア調整手段に対応して集約された変調信号と、を異なる送信先に出力する、
請求項３に記載の光送信器。
【請求項６】
前記サブキャリア調整手段は、帯域可変フィルタおよび周回性のＡＷＧ（Arrayed Waveguide Grating）によって構成され、
前記出力手段は、複数の方路へ送信信号をそれぞれ出力する光マルチキャストスイッチである、
請求項２乃至５のいずれか１項に記載の光送信器。
【請求項７】
前記サブキャリア調整手段は、前記サブキャリアを順次出力し、
前記制御手段は、送信先が異なる送信信号に使用されるサブキャリアは連続しないように制御する制御信号生成する、
請求項１乃至６のいずれか１項に記載の光送信器。
【請求項８】
請求項１乃至７のいずれか１項に記載の第１の光送信器および第２の光送信器と、
前記第１の光送信器および前記第２の光送信器から送信される送信信号に付与されるガードバンドの数が小さくなるように、前記第１の光送信器および前記第２の光送信器を制御する制御手段と、
を備える光通信装置。
【請求項９】
前記第１の光送信器は、運用系サービスに関する送信信号を送信し、
前記第２の光送信器は、前記運用系サービスに対する障害用サービスに関する送信信号を送信する、
請求項８に記載の光通信装置。
【請求項１０】
前記送信信号を互いに送受信する複数の請求項７または８に記載の光通信装置と、
複数の前記光通信装置から出力される送信信号に付与されるガードバンドの合計数が小さくなるように前記複数の光通信装置をそれぞれ制御する制御手段と、
を備える光通信システム。
【請求項１１】
送信情報に基づいて制御信号を生成し、
前記生成した制御信号に基づいて、クライアントデータを複数の出力レーンへマッピングし、
前記生成した制御信号に基づいて、サブキャリアを複数の出力ポートへ出力し、
対応する出力ポートを介して入力されたサブキャリアを、対応する出力レーンを介して入力されたクライアントデータによってそれぞれ変調することによって、複数の変調信号を出力する、
光送信方法。
【請求項１２】
前記送信情報に基づいて、前記出力された複数の変調信号を集約すると共にガードバンドを付与して送信信号として出力し、
前記付与されるガードバンドの数が小さくなるように、前記制御信号を生成する、
請求項１１に記載の光送信方法。
【発明の詳細な説明】
【技術分野】
【０００１】
本発明は、光ネットワークにおいて複数の情報を送信する光送信器および光送信方法、該光送信器を備えた光通信装置および光通信システムに関する。
【背景技術】
【０００２】
ビデオストリーミングサービスに代表される動画コンテンツのサービスが急速に増え、静止画像サービスデータよりも大きな伝送容量を必要とするこれらのサービスデータがインターネットのトラフィックの中で大きな割合を占めるようになってきた。それにより、ネットワーク内の伝送容量が急速に拡大し、伝送路や伝送装置の増設と並行して、既存の設備の利用効率を最大化する技術が強く要求されるようになった。【０００３】
既存設備の利用効率を最大化する技術の一つである、光ファイバ内の周波数利用効率を大幅に向上させる、エラスティック光ネットワークの研究が行われている。エラスティック光ネットワークは、伝送距離や要求スループットに応じて最適な変調方式を選択して通信する光ネットワークである。最適な変調方式を選択することにより、大容量のデータを最小限の周波数帯域で伝送できる。【０００４】
このような大容量のデータを高効率に伝送可能なエラスティック光ネットワークにおいては、伝送距離や要求スループットに応じて最適な変調方式を選択可能な光送信器が使われる。しかし、エラスティック光ネットワークにおいて使用される光送信器は、伝送距離に応じてアダプティブに変調方式を変更することから、可変範囲の最大性能で製作する必要があり、実使用条件と比較してオーバースペックとなる場合が多い。また、一般的な光送信器は、単一のキャリア周波数であるため、周波数軸上にまとまった帯域がないと、帯域を収縮自在に可変可能というエラスティック光ネットワークの性能を十分に活用できない。例えば、特許文献１にはエラスティック光ネットワークの性能を十分活用できる光送信器が、特許文献２には複数の光送信器を備えた光ノード装置が開示されている。【０００５】
特許文献１の光送信器は、多周波数位相同期光源と光変調部との間に、多周波数位相同期光源の周波数間隔を周波数ごとに個別に調整する周波数間隔設定部が配置されている。周波数間隔を周波数ごとに個別に調整することにより、最適な変調レートを容易に適用することができ、エラスティック光ネットワークで使用される光送受信器の性能を十分に活用できる。【０００６】
また、特許文献２のマルチフロー光ノードは、内部に複数のキャリア発生器もしくはサブキャリア発生器を有し、光合分波手段を介して効率よく変調器に割り当てることで、光送信器の使用効率を向上させる。光送信器内に複数ある変調器を無駄にしないように、複数のクライアントからの要求サービスを同一の光送信器に収容し、複数の異なる方路に送信することを可能とする。
【先行技術文献】
【特許文献】
【０００７】
【特許文献１】特開２０１２−１９１４５２号公報
【特許文献２】国際公開第２０１３／０１２０１５号
【発明の概要】
【発明が解決しようとする課題】
【０００８】
ここで、エラスティック光ネットワークにおいては、帯域を収縮自在に可変することによって、複数の要求サービスを複数の光送信器間で送受信できることが望まれる。しかし、特許文献１に記載の光送信器は、複数の光送信器を対象として各種サービスを送受信することは想定されていない。すなわち、特許文献１に記載の光送信器は、複数のサービスを収容し、これらの複数のサービスをそれぞれ対応する光送信器へ送信することは想定されていない。【０００９】
また、特許文献２に記載のマルチフロー光ノードにおいては、１台のキャリア発生器から生成されるサブキャリアの本数は固定値である。このため、クライアントから要求されるスループット量に依存して、１つの要求サービスのデータが複数のキャリア発生器から生成されるサブキャリアに跨いでマッピングされて送信される可能性がある。これは、複数キャリア発生器を跨ぐ周波数帯域毎に、隣接するチャネルとのガードバンドが必要となることで、全体として周波数利用効率を低下させる。【００１０】
本発明は上記の課題に鑑みてなされたものであり、送信信号に付与されるガードバンドを小さくしつつ、収容した複数のサービスを対応する送信先へそれぞれ送信できる光通信装置および光通信システムを提供することを目的とする。
【課題を解決するための手段】
【００１１】
上記目的を達成するために本発明に係る光送信器は、送信情報に基づいて制御信号を生成する制御手段と、前記制御信号に基づいて、サブキャリアを複数の出力ポートへ出力するサブキャリア調整手段と、前記制御信号に基づいて、クライアントデータを複数の出力レーンへマッピングする符号化処理手段と、前記出力ポートを介して入力されたサブキャリアを、前記出力レーンを介して入力されたクライアントデータによって変調し、変調信号を出力する複数の変調手段と、を備える。【００１２】
上記目的を達成するために本発明に係る光通信装置は、上記の第１の光送信器および第２の光送信器と、前記第１の光送信器および前記第２の光送信器から送信される送信信号に付与されるガードバンドの数が小さくなるように、前記第１の光送信器および前記第２の光送信器を制御する制御手段と、を備える。【００１３】
上記目的を達成するために本発明に係る光通信システムは、前記送信信号を互いに送受信する複数の上記の光通信装置と、複数の前記光通信装置から出力される送信信号に付与されるガードバンドの合計数が小さくなるように前記複数の光通信装置をそれぞれ制御する制御手段と、を備える。【００１４】
上記目的を達成するために本発明に係る光送信方法は、送信情報に基づいて制御信号を生成し、生成した制御信号に基づいて、クライアントデータを複数の出力レーンへマッピングし、生成した制御信号に基づいて、サブキャリアを複数の出力ポートへ出力し、対応する出力ポートを介して入力されたサブキャリアを、対応する出力レーンを介して入力されたクライアントデータによってそれぞれ変調することによって、複数の変調信号を出力する。
【発明の効果】
【００１５】
上述した本発明の態様によれば、複数のサービスを収容し、収容した複数のサービスを対応する伝送装置へそれぞれ送信することができると共に、送信する送信信号に付与されるガードバンドを小さくすることができる。
【図面の簡単な説明】
【００１６】
【図１】第１の実施形態に係る光送信器１０のブロック構成図である。
【図２】第２の実施形態に係る光送信器１００のブロック構成図である。
【図３】第２の実施形態に係る光送信器１００から出力される送信信号のスペクトル図の一例である。
【図４】第２の実施形態の比較例に係る光送信器から出力される送信信号のスペクトル図の一例である。
【図５】第２の実施形態の変形例に係る光送信器１００Ｂのブロック構成図である。
【図６】第３の実施形態に係る光送信器１００Ｃのブロック構成図である。
【図７】第３の実施形態に係る光送信器１００Ｃから出力される送信信号のスペクトル図の一例である。
【図８Ａ】第４の実施形態に係る光通信システム１０００のシステム構成図である。
【図８Ｂ】第４の実施形態に係る光ノード装置Ａのブロック構成図である。
【図９】第５の実施形態に係る光通信システム１０００Ｂのシステム構成図である。
【図１０】第５の実施形態の比較例に係る光ノード装置２０００’から出力される送信信号のスペクトル図の一例である。
【図１１】第５の実施形態に係る光ノード装置２０００から出力される送信信号のスペクトル図の一例である。
【図１２】第６の実施形態に係る光通信システム１０００Ｃで扱う送信信号のスペクトル図の一例である。
【図１３】第６の実施形態の比較例に係る光通信システム１０００’で扱う送信信号のスペクトル図の一例である。
【図１４】第７の実施形態に係る光送信器１のブロック構成図である。
【発明を実施するための形態】
【００１７】
（第１の実施形態）
本発明に係る第１の実施形態について説明する。本実施形態に係る光送信器のブロック構成図を図１に示す。図１において、光送信器１０は、サブキャリア生成手段２０、サブキャリア調整手段３０、第１の波長合分波器４０、第２の波長合分波器５０、振当手段６０、（ｉ＋ｋ）個の変調手段７０１、７０２、…、７０ｉ＋ｋおよび符号化処理手段８０を備える。本実施形態に係る光送信器１０は、図示しないネットワーク制御装置からの指示に従って、クライアントデータを送信信号に乗せて所望の伝送装置に送信する。ここで、ネットワーク制御装置は、複数の光送信器１０からそれぞれ出力される送信信号に付与されるガードバンドの数が小さくなるように、各光送信器１０を制御する。なお、ガードバンドの数は任意の目標値を設定することができ、例えば、ガードバンドの数が最小になるように制御することもできる。
【００１８】
サブキャリア生成手段２０は、複数のサブキャリアを生成してサブキャリア調整手段３０へ出力する。
【００１９】
サブキャリア調整手段３０は、図示しないネットワーク制御装置からの指示に従って、入力された複数のサブキャリアのうち、第１の伝送装置へ出力するためのｉ（ｉ≦Ｎ）個のサブキャリアを第１の波長合分波器４０へ、第２の伝送装置へ出力するためのｋ（ｋ≦Ｍ）個のサブキャリアを第２の波長合分波器５０へ出力する。第１の伝送装置へ出力されるｉ個のサブキャリアから、１組のガードバンドが付与された送信信号が生成されると共に、第２の伝送装置へ出力されるｋ個のサブキャリアから、１組のガードバンドが付与された送信信号が生成される。
【００２０】
第１の波長合分波器４０は、１個の入力ポート４１およびＮ個の出力ポート４２１、４２２、…、４２Ｎを備え、入力されたｉ個のサブキャリアを周波数帯域ごとに分波して対応する出力ポート４２１、４２２、…、４２Ｎから振当手段６０へ出力する。本実施形態において、第１の波長合分波器４０は、第１の伝送装置に応じた周波数帯域ごとにサブキャリアを分波する。
【００２１】
第２の波長合分波器５０は、１個の入力ポート５１およびＭ個の出力ポート５２１、５２２、…、５２Ｍを備え、入力されたｋ個のサブキャリアを周波数帯域ごとに分波して対応する出力ポート５２１、５２２、…、５２Ｍから振当手段６０へ出力する。本実施形態において、第２の波長合分波器５０は、第２の伝送装置に応じた周波数帯域ごとにサブキャリアを分波する。
【００２２】
振当手段６０は、（Ｎ＋Ｍ）個の入力ポート６１１、６１２、…、６１Ｎ＋Ｍおよび（ｉ＋ｋ）個の出力ポート６２１、６２２、…、６２ｉ＋ｋを備える。第１の波長合分波器４０および第２の波長合分波器５０から出力された（ｉ＋ｋ）個のサブキャリアは、（Ｎ＋Ｍ）個の入力ポート６１１、６１２、…、６１Ｎ＋Ｍのいずれかを介して振当手段６０に入力される。振当手段６０は、入力された（ｉ＋ｋ）個のサブキャリアをそれぞれ（ｉ＋ｋ）個の出力ポート６２１、６２２、…、６２ｉ＋ｋに振り当てて、（ｉ＋ｋ）個の変調手段７０１、７０２、…、７０ｉ＋ｋへ導く。
【００２３】
符号化処理手段８０は、図示しないネットワーク制御装置からの指示に従って、光送信器１０に入力されたクライアントデータをフレーム化し、フレーム化したクライアントデータを（ｉ＋ｋ）個の変調手段７０１、７０２、…、７０ｉ＋ｋへマッピングする。
【００２４】
（ｉ＋ｋ）個の変調手段７０１、７０２、…、７０ｉ＋ｋはそれぞれ、入力されたサブキャリアをマッピングされたクライアントデータを用いて変調し、変調信号を出力する。すなわち、（ｉ＋ｋ）個の変調信号が光送信器１０から送信される。光送信器１０は、前述したように、サブキャリア調整手段３０において抽出されたｉ個のサブキャリアから生成された変調信号に１組のガードバンドを付与して送信信号として第１の伝送装置へ出力する。同様に、光送信器１０は、サブキャリア調整手段３０において抽出されたｋ個のサブキャリアから生成した変調信号に１組のガードバンドを付与して送信信号として第２の伝送装置へ出力する。
【００２５】
以上のように、本実施形態に係る光送信器１０においては、サブキャリア調整手段３０は、サブキャリア生成手段２０から入力された複数のサブキャリアのうち、第１の伝送装置へ出力するためのｉ個のサブキャリアを第１の波長合分波器４０へ出力し、第２の伝送装置へ出力するためのｋ個のサブキャリアを第２の波長合分波器５０へ出力する。そして、第１の波長合分波器４０は第１の伝送装置へ対応するようにサブキャリアを分波し、第２の波長合分波器５０は第２の伝送装置へ対応するようにサブキャリアを分波する。従って、本実施形態に係る光送信器１０は、複数のサブキャリアをサービス単位に処理して、複数の伝送装置へ送信することができる。
【００２６】
また、本実施形態に係る光送信器１０においては、第１の波長合分波器４０はＮ個の出力ポートを、第２の波長合分波器５０はＭ個の出力ポートを備える。従って、サブキャリア調整手段３０は、（ｉ＋ｋ）が所定の値以下となる範囲で、第１の波長合分波器４０および第２の波長合分波器５０へ出力するサブキャリア数の割合を柔軟に変更することができる。例えば、第１の伝送装置にＮ個のサブキャリアに対応する送信信号を送信し、第２の伝送装置に（ｉ＋ｋ）−Ｎ個までのサブキャリアに対応する所望量の送信信号を送信することができる。
【００２７】
さらに、光送信器１０にサブキャリア調整手段３０において抽出するサブキャリアの数と同数の（ｉ＋ｋ）個の変調手段７０１、７０２、…、７０ｉ＋ｋを配置することにより変調手段７０を効率よく活用することができる。
【００２８】
（第２の実施形態）
第２の実施形態について説明する。本実施形態に係る光送信器のブロック構成図を図２に示す。図２に示すように、光送信器１００には、クライアント側インターフェース（Ｉ／Ｆ：interface）１１００において収容された外部からのクライアント信号が、フレーマ１２００を介して入力される。フレーマ１２００は、光ノード制御部１３００からの指示に基づいて、クライアント側Ｉ／Ｆ１１００を介して入力された複数のサービス毎にデータを処理し、出力レーン数を決定する。フレーマ１２００は、決定した出力レーン数に合せて入力されたクライアント信号をマッピングし、光送信器１００の信号処理部８００へ出力する。
【００２９】
ここで、光ノード制御部１３００は、複数の要求サービスのスループット量に応じて、それぞれのサービスに対して連続したサブキャリアの周波数帯域が割り当てられるように、フレーマ１２００および光送信器１００を制御する。これにより、光送信器１００において、単一のサービスが複数のキャリアを跨いで伝送されることがなるべく少なくなるように、サブキャリアが割り当てられる。
【００３０】
本実施形態に係る光送信器１００は、２台のキャリア２０１、２０２、２台のサブキャリア発生器３０１、３０２、２台の帯域可変フィルタ４０１、４０２、２台の波長合分波器５０１、５０２、１台のマトリクス光スイッチ６００、２０台のサブキャリア変調器７０１−７２０および信号処理部８００を備える。
【００３１】
キャリア２０１、２０２は、サブキャリアの元となる光信号を生成してサブキャリア発生器３０１、３０２へそれぞれ出力する。本実施形態に係るキャリア２０１、２０２は、互いに異なる波長の光信号を生成して出力する。
【００３２】
サブキャリア発生器３０１、３０２は、入力された光信号から、波長合分波器５０１、５０２の周波数グリッド間隔に合う発振周波数を有する複数のサブキャリアを生成して帯域可変フィルタ４０１、４０２へそれぞれ出力する。なお、光送信器１００からの送信時には、サブキャリア発生器３０１、３０２において生成されたサブキャリアにそれぞれ１組のガードバンドが付与される。
【００３３】
帯域可変フィルタ４０１、４０２は、光ノード制御部１３００から指示された使用比率に基づいて、サブキャリア発生器３０１、３０２から入力された複数のサブキャリアを、波長合分波器５０１、５０２へそれぞれ出力する。帯域可変フィルタ４０１、４０２は、波長合分波器５０１、５０２の出力ポート数の範囲内であって、且つ、合計数が使用されるサブキャリア変調器の台数と同数となるように、サブキャリアを波長合分波器５０１、５０２のいずれかへ出力する。
【００３４】
例えば、使用されるサブキャリア変調器の台数が２０台で、波長合分波器５０１、５０２の出力ポート数がそれぞれ１２個の場合、帯域可変フィルタ４０１、４０２は、サブキャリアの総数を２０個に制御する。そして、帯域可変フィルタ４０１、４０２は、２０個のサブキャリアを光ノード制御部１３００から指示された使用比率に基づいて、各割当て数が最大１２個となる範囲で、例えば、波長合分波器５０１へ１１個のサブキャリアを出力し、波長合分波器５０２へ９個のサブキャリアを出力する。光ノード制御部１３００は、帯域可変フィルタ４０１、４０２における使用比率の制御を、フレーマ１２００の出力レーン数の可変制御と連動して実施する。
【００３５】
波長合分波器５０１、５０２は、周回性のＡＷＧ（Arrayed Waveguide Grating）によってそれぞれ構成され、サブキャリア発生器３０１、３０２の最大可変帯域と同等のＦＳＲ（Free  Spectral  Range）をそれぞれ有する。また、波長合分波器５０１、５０２は、帯域可変フィルタ４０１、４０２から入力されるサブキャリアの最大数と同数の出力ポートをそれぞれ有する。
【００３６】
そして、波長合分波器５０１、５０２は、帯域可変フィルタ４０１、４０２から入力されたサブキャリアを、発振周波数ごとに分波して対応する出力ポートから出力する。例えば、波長合分波器５０１、５０２はそれぞれ１２個の出力ポート（計２４個）を有し、帯域可変フィルタ４０１、４０２から入力された２０個のサブキャリアを分波して、２４個の出力ポートのうちの２０個の出力ポートを介してマトリクス光スイッチ６００へ出力する。
【００３７】
マトリクス光スイッチ６００は、波長合分波器５０１、５０２の２４個の出力ポートとそれぞれ接続される２４個の入力ポートを有すると共に、２０台のサブキャリア変調器７０１−７２０とそれぞれ接続される２０個の出力ポートを有する。そして、マトリクス光スイッチ６００は、波長合分波器５０１、５０２の２４個の出力ポートのうちのいずれか２０個の出力ポートから入力された２０個のサブキャリアを、光ノード制御部１３００からの指示に基づいて、指示されたサブキャリア変調器７０１−７２０へそれぞれ導く。すなわち、マトリクス光スイッチ６００は２４×２０の光スイッチである。
【００３８】
信号処理部８００には、クライアント側Ｉ／Ｆ１１００およびフレーマ１２００を介して、決定された出力レーン数のクライアント信号が入力される。信号処理部８００は、光ノード制御部１３００からの指示に基づいて、入力されたクライアント信号を信号処理し、指示されたサブキャリア変調器７０１−７２０へ出力する。
【００３９】
２０台のサブキャリア変調器７０１−７２０は、マトリクス光スイッチ６００から入力されたサブキャリアを信号処理部８００から入力されたクライアント信号を用いて変調し、変調信号を出力する。
【００４０】
上記のように構成された光送信器１００は、次のように動作する。すなわち、キャリア２０１、２０２はそれぞれサブキャリアの元となる光信号を生成してサブキャリア発生器３０１、３０２へ出力する。サブキャリア発生器３０１、３０２はそれぞれ、入力された光信号から、所定の発振周波数を有する複数のサブキャリアを生成して帯域可変フィルタ４０１、４０２へ出力する。
【００４１】
帯域可変フィルタ４０１、４０２は、光ノード制御部１３００からの指示に基づいて、サブキャリア発生器３０１、３０２から入力された複数のサブキャリアの数を２０個に制御し、光ノード制御部１３００から指示された使用比率に基づいて、最大１２個ずつまでのサブキャリアを波長合分波器５０１、５０２へ出力する。
【００４２】
波長合分波器５０１、５０２はそれぞれ、帯域可変フィルタ４０１、４０２から入力されたサブキャリアを分波して、対応する出力ポートからマトリクス光スイッチ６００へ順次出力する。マトリクス光スイッチ６００は、波長合分波器５０１、５０２から入力されたサブキャリアを、光ノード制御部１３００からの指示に基づいて、サブキャリア変調器７０１−７２０へ導く。
【００４３】
サブキャリア変調器７０１−７２０は、マトリクス光スイッチ６００から入力されたサブキャリアを信号処理部８００から入力されたクライアント信号を用いて変調し、変調信号を出力する。そして、サブキャリア発生器３０１において生成されたサブキャリアによって生成された変調信号群に１組のガードバンドが付与されて第１のサービスとして提供され、サブキャリア発生器３０２において生成されたサブキャリアによって生成された変調信号群に１組のガードバンドが付与されて第２のサービスとして提供される。
【００４４】
次に、本実施形態に係る光送信器１００に対して合計で２Ｔｂｐｓの３つのサービス（７００Ｇｂｐｓ、４００Ｇｂｐｓ、９００Ｇｂｐｓ）の伝送要求があった場合について考える。なお、７００Ｇｂｐｓのサービスと４００Ｇｂｐｓのサービスは同一のルートを使用した光ノード装置Ａから光ノード装置Ｂへの伝送要求であり、９００Ｇｂｐｓのサービスは光ノード装置Ａから光ノード装置Ｃへの伝送要求である。例えば、サブキャリアがそれぞれ１００Ｇｂｐｓのスループットを有する場合、本実施形態に係る光送信器１００は、２０本のサブキャリアを出力することから、合計スループットは２Ｔｂｐｓとなる。
【００４５】
この時のサブキャリアのスペクトルの一例を図３に示す。図３の上段において、サブキャリア１本あたり１００Ｇｂｐｓのスループットなので、７００Ｇｂｐｓはサブキャリア７本分、４００Ｇｂｐｓはサブキャリア４本分、９００Ｇｂｐｓはサブキャリア９本分の伝送データ量となる。
【００４６】
上記の３つのサービスの伝送要求に対して、帯域可変フィルタ４０１は、７００Ｇｂｐｓと４００Ｇｂｐｓを合計した１．１Ｔｂｐｓ分のサブキャリアを波長合分波器５０１へ出力する。一方、帯域可変フィルタ４０２は、９００Ｇｂｐｓサブキャリアを波長合分波器５０２へ出力する。
【００４７】
波長合分波器５０１は、帯域可変フィルタ４０１から入力された１．１Ｔｂｐｓのサブキャリアを発振周波数ごとに分波して１１個のサブキャリアをマトリクス光スイッチ６００へ出力する。一方、波長合分波器５０２は、帯域可変フィルタ４０２から入力された０．９Ｔｂｐｓのサブキャリアを発振周波数ごとに分波して９個のサブキャリアをマトリクス光スイッチ６００へ出力する。マトリクス光スイッチ６００は、波長合分波器５０１、５０２から入力された２０個のサブキャリアをサブキャリア変調器７０１−７２０へそれぞれ振り分ける。サブキャリア変調器７０１−７２０は、マトリクス光スイッチ６００から入力されたサブキャリアを信号処理部８００から入力されたクライアント信号を用いて変調する。
【００４８】
そして、本実施形態に係る光送信器１００は、図３の（ｂ）に示すように、７００Ｇｂｐｓのデータおよび４００Ｇｂｐｓのデータに１組のガードバンドＧＢを付与して第１のサービスとして光ノード装置Ｂへ送信する。一方、光送信器１００は、図３の（ｃ）に示すように、９００Ｇｂｐｓのデータに１組のガードバンドＧＢを付与して第２のサービスとして光ノード装置Ｃへ送信する。
【００４９】
ここで、比較例として、帯域可変フィルタ４０１、４０２を備えない場合、すなわち、波長合分波器５０１、５０２が一定数のサブキャリアを扱う場合について考える。この時のサブキャリアのスペクトルの一例を図４に示す。波長合分波器５０１、５０２が一定数のサブキャリアを扱うことから、図４の（ａ）に示すように、波長合分波器５０１、５０２には共に１Ｔｂｐｓのサブキャリアが入力する。
【００５０】
この場合、４００Ｇｂｐｓ分のスループットに対しては、１００Ｇｂｐｓと３００Ｇｂｐｓに分割して処理する必要が生じる。図４の（ｃ）に示すように、３００Ｇｂｐｓのデータは、７００Ｇｂｐｓのサービスと同じ行先ノード（光ノード装置Ｂ）で同じルートを通るため、ガードバンドＧＢの追加は不要であるが、図４の（ｂ）に示すように、１００Ｇｂｐｓのデータは新たにガードバンドＧＢを追加する必要があり、周波数利用効率が低下する。
【００５１】
以上のように、本実施形態に係る光送信器１００は、波長合分波器５０１、５０２の出力ポートに冗長を持たせ、帯域可変フィルタ４０１、４０２によって波長合分波器５０１、５０２の出力ポートに割り当てたサブキャリアを、マトリクス光スイッチ６００によってサブキャリア変調器７０１−７２０に振り分ける構成とした。本構成とすることで、複数の要求サービスのスループット量に応じて、連続したサブキャリアの周波数帯域を効率よく割り当てることができる。すなわち、ガードバンドＧＢを小さくするように抑制することができ、周波数利用効率を大きくすることができる。
【００５２】
ここで、本実施形態では、光送信器１００がそれぞれ２台のキャリア２０１、２０２、サブキャリア発生器３０１、３０２、帯域可変フィルタ４０１、４０２および波長合分波器５０１、５０２、２４×２０のマトリクス光スイッチ６００、２０台のサブキャリア変調器７０１−７２０を備える場合について説明したが、台数およびスイッチのマトリクス規模は上記に限定されない。また、サブキャリアの波長合分波器５０１、５０２への割り当ては、帯域可変フィルタに限定されず、例えば、２台の帯域可変フィルタの代わりに複数の入力信号をマルチキャストして複数の出力ポートに出力する光マルチキャストスイッチ等を適用することもできる。
【００５３】
（第２の実施形態の変形例）
第２の実施形態の変形例について説明する。本実施形態に係る光送信器のブロック構成図を図５に示す。図５に示すように、本実施形態に係る光送信器１００Ｂは、第２の実施形態で説明した図２の光送信器１００に光マルチキャストスイッチ９００Ｂを追加したものである。キャリア２０１、２０２、サブキャリア発生器３０１、３０２、帯域可変フィルタ４０１、４０２、波長合分波器５０１、５０２、マトリクス光スイッチ６００、サブキャリア変調器７０１−７２０および信号処理部８００は、第２の実施形態で説明したそれらと同様に機能するため、詳細な説明を省略する。
【００５４】
光マルチキャストスイッチ９００Ｂは、任意の入出力ポート間を１：１で接続するだけでなく、入力信号を複数の出力ポートにマルチキャストして１：Ｎで接続する機能を有する。光マルチキャストスイッチ９００Ｂは、サブキャリア変調器７０１−７２０の後段に配置され、光ノード制御部１３００からの指示に基づき、サブキャリア変調器７０１−７２０から出力された変調信号を、光伝送装置や光送受信器に入出力する多数の光ファイバへ、使用波長や接続ファイバなどの物理的な制約なく送信する。
【００５５】
光マルチキャストスイッチ９００Ｂの複数の出力は、光伝送装置に光信号を入出力する複数の光ファイバにそれぞれ接続されている。一般的に、光伝送装置に光信号を入出力する光ファイバは方路と呼ばれるが、光マルチキャストスイッチ９００Ｂを配置することにより、光送信器１００Ｂと複数の方路との接続において、波長制約や方路制約や波長競合といった物理接続の制約のない光伝送が可能となる。なお、光マルチキャストスイッチ９００Ｂが請求項の出力手段に相当し、光ノード制御部１３００からの指示に基づき、サブキャリア変調器７０１−７２０から出力された変調信号を集約し、ガードバンドを付与して送信信号として出力する。
【００５６】
第２の実施形態と同様に、光送信器１００Ｂに対して合計で２Ｔｂｐｓの３つのサービス（７００Ｇｂｐｓ、４００Ｇｂｐｓ、９００Ｇｂｐｓ）の伝送要求があった場合について考える。なお、７００Ｇｂｐｓのサービスと４００Ｇｂｐｓのサービスは同一のルートを使用する光ノード装置Ａから光ノード装置Ｂへの伝送であり、９００Ｇｂｐｓのサービスは別のルートを使用する光ノード装置Ａから光ノード装置Ｃへの伝送である。
【００５７】
帯域可変フィルタ４０１はサブキャリア発生器３０１から入力された複数のサブキャリアの中から１．１Ｔｂｐｓのサブキャリアを波長合分波器５０１へ出力し、帯域可変フィルタ４０２はサブキャリア発生器３０２から入力された複数のサブキャリアの中から０．９Ｔｂｐｓのサブキャリアを波長合分波器５０２へ出力する。波長合分波器５０１、５０２は入力されたサブキャリアを発振周波数ごとに分波してマトリクス光スイッチ６００へ出力する。
【００５８】
マトリクス光スイッチ６００は、波長合分波器５０１、５０２から入力された合計２０個のサブキャリアを２０台のサブキャリア変調器７０１−７２０へ振り分ける。サブキャリア変調器７０１−７２０は、入力されたサブキャリアを信号処理部８００から入力されたクライアント信号を用いて変調し、光マルチキャストスイッチ９００Ｂへ出力する。
【００５９】
光マルチキャストスイッチ９００Ｂは、サブキャリア変調器７０１−７２０から入力された２０個の変調信号を、光ノード制御部１３００からの指示に基づいて、サービス毎に一つの出力ポートに集約する。すなわち、７００Ｇｂｐｓのサービス用の７個の変調信号と４００Ｇｂｐｓのサービス用の４個の変調信号とが光マルチキャストスイッチ９００Ｂの同一の出力ポートに集約されて送信信号として出力され、９００Ｇｂｐｓのサービス用の９個の変調信号は、光マルチキャストスイッチ９００Ｂの別の出力ポートに集約されて送信信号として出力される。
【００６０】
つまり、光送信器１００Ｂ内で生成される全２０個の変調信号は、光マルチキャストスイッチ９００Ｂにおいてサービス毎に一つの出力ポートに集約され、任意の入出力ファイバに送信信号として出力される。例えば、本実施形態に係る光送信器１００Ｂが８つの方路に接続されている場合、２０×８の光マルチキャストスイッチ９００Ｂが適用される。
【００６１】
ここで、キャリア２０１、２０２、サブキャリア発生器３０１、３０２、帯域可変フィルタ４０１、４０２および波長合分波器５０１、５０２およびサブキャリア変調器７０１−７２０の台数は上記に限定されない。また、マトリクス光スイッチ６００および光マルチキャストスイッチ９００Ｂのスイッチ規模は、上記に限定されない。さらに、光マルチキャストスイッチ９００Ｂは、光送信器１００Ｂ内に配置する必要はなく、複数の光送信器１００Ｂを収容する光ノード装置内に一つの光マルチキャストスイッチ９００Ｂを配置して、複数の光送信器１００Ｂと各方路とを接続制御することもできる。
【００６２】
（第３の実施形態）
第３の実施形態について説明する。本実施形態に係る光送信器のブロック構成図を図６に示す。図６に示すように、本実施形態に係る光送信器１００Ｃは、第２の実施形態の変形例で説明した図５の光送信器１００Ｂにおいて、それぞれ２台のキャリア２０１、２０２およびサブキャリア発生器３０１、３０２を、それぞれ１台のキャリア２００Ｃおよびサブキャリア発生器３００Ｃに置き換え、サブキャリア発生器３００Ｃと帯域可変フィルタ４０１、４０２との間に１×２の光マルチキャストスイッチ９００Ｃを配置することで構成される。
【００６３】
光マルチキャストスイッチ９００Ｃは、光ノード制御部１３００から指示された使用比率に基づいて、サブキャリア発生器３００Ｃから入力されたサブキャリアを２台の帯域可変フィルタ４０１、４０２のどちらかへ切り替えまたは分配を行う。
【００６４】
本実施形態においては、キャリア２００Ｃが１台であるため、帯域可変フィルタ４０１、４０２には、同一の周波数帯域のサブキャリアが入力される。そして、帯域可変フィルタ４０１、４０２は、光マルチキャストスイッチ９００Ｃから入力された同一周波数帯域の複数のサブキャリアを、光ノード制御部１３００からの指示に基づいて、合計数が使用されるサブキャリア変調器７０１−７２０の台数と同じになるように制御し、指示された使用比率に基づいて波長合分波器５０１、５０２へそれぞれ出力する。本実施形態に係る光送信器１００Ｃから出力された送信信号のスペクトルの一例を図７に示す。
【００６５】
ここで、同一周波数帯域の２組の送信信号を同一の光ファイバにおいて伝送することはできないため、光マルチキャストスイッチ９００Ｃから出力された２組のサブキャリアによって生成された２組の送信信号は、光送信器１００Ｃに接続されている複数の光ファイバのうちの別々の光ファイバによって伝送される。
【００６６】
本実施形態では、キャリア２００Ｃおよびサブキャリア発生器３００Ｃをそれぞれ１台としたがそれに限定されない。例えば、１台のキャリアと２台のサブキャリア発生器とを配置し、キャリアからの光信号を２台のサブキャリア発生器へ分配することもできる。
【００６７】
また、波長合分波器５０１、５０２において同一周波数帯域のサブキャリアを扱う場合、サブキャリア発生器３００Ｃから出力されたサブキャリアを１台の波長合分波器で処理し、マトリクス光スイッチ６００において、光ノード制御部１３００からの指示に基づいて、２０個のサブキャリアを抽出してサブキャリア変調器７０１−７２０へ振り当てることもできる。この場合、マトリクス光スイッチ６００の負荷は大きくなるものの、光マルチキャストスイッチ９００Ｃおよび帯域可変フィルタ４０１、４０２を省略できると共に波長合分波器の台数を削減できることから、コストを低減することができる。
【００６８】
（第４の実施形態）
第４の実施形態について説明する。本実施形態に係る光通信システムのシステム構成図を図８Ａに示す。図８Ａにおいて、光通信システム１０００は、少なくとも３つの光ノード装置Ａ、Ｂ、Ｃを備える。
【００６９】
光ノード装置Ａのブロック構成図を図８Ｂに示す。なお、光ノード装置Ｂ、Ｃも同様に構成される。図８Ｂにおいて、光ノード装置Ａは、第１の光送信器１００’、第２の光送信器１００”および制御部１１０を備える。第１の光送信器１００’および第２の光送信器１００”は、第２の実施形態で説明した図２の光送信器１００と同様に構成される。すなわち、第１の光送信器１００’および第２の光送信器１００”はそれぞれ、キャリア２０１、２０２、サブキャリア発生器３０１、３０２、帯域可変フィルタ４０１、４０２、波長合分波器５０１、５０２、マトリクス光スイッチ６００、サブキャリア変調器７０１−７２０および信号処理部８００等を備え、複数のサービスを同時に収容できる。
【００７０】
制御部１１０は、第１の光送信器１００’および第２の光送信器１００”から送信される送信信号に付与されるガードバンドの数が小さくなるように、第１の光送信器１００’および第２の光送信器１００”を制御する。また、制御部１１０は、第１の光送信器１００’および第２の光送信器１００”において生成した複数の変調信号を送信先ごとに集約し、ガードバンドを付与してから対応する方路へ送出する。
【００７１】
ここで、本実施形態に係る光通信システム１０００は、運用系サービスのスループットαと、そのサービスに対する１重障害用のサービスのスループットβと、を同一の光送信器、つまり、同一のハードウエアには収容しないことを特徴とする。具体的には、第１の光送信器１００’は、運用系サービスのスループットαおよび他のサービスのスループットγを収容し、第２の光送信器１００”は、上述の運用系サービスに対する１重障害用のサービスのスループットβおよび他のサービスのスループットγを収容する。
【００７２】
ここで、運用系サービスのスループットαとその運用系に対する１重障害用に待機しているスループットβとを同一の光送信器１００に収容すると、光送信器１００に障害が発生した場合に復旧が出来なくなる。これに対して、運用系サービスのスループットαと、そのサービスに対する１重障害用のサービスのスループットβとを別々の光送信器１００’、１００”に収容することにより、ファイバ断などのライン障害と光送受信器の障害が同時に発生した場合でも、対応可能である。
【００７３】
なお、本実施形態では、光ノード装置Ａ、Ｂ、Ｃが第２の実施形態で説明した光送信器１００をそれぞれ２台ずつ含む場合について説明したが、光ノード装置Ａ、Ｂ、Ｃが第２の実施形態、第２の実施形態の変形例または第３の実施形態で説明した光送信器１００、１００Ｂ、１００Ｃのいずれかを複数台ずつ備えることでも良い。
【００７４】
（第５の実施形態）
第５の実施形態について説明する。本実施形態に係る光通信システムのシステム構成図を図９に示す。図９において、光通信システム１０００Ｂは、Ｎ台の光ノード装置２００１、２００２、…、２００Ｎおよびネットワーク制御部１６００を備える。Ｎ台の光ノード装置２００１、２００２、…、２００Ｎはそれぞれ、光ノード制御部１３００、複数のクライアント側インターフェース部（Ｉ／Ｆ）１１００、クロスコネクト部１２００Ｂ、複数のライン側インターフェース部（Ｉ／Ｆ）１４００および光マルチキャストスイッチ１５００を備える。なお、特に区別する必要がない場合には、光ノード装置２００１、２００２、…、２００Ｎを単に光ノード装置２０００と記載する。
【００７５】
本実施形態においては、クロスコネクト部１２００Ｂに第２の実施形態で説明した図２のフレーマ１２００をベースとしたクロスコネクトスイッチを、ライン側Ｉ／Ｆ１４００に第２の実施形態で説明した図２の光送信器１００を適用する。すなわち、ライン側Ｉ／Ｆ１４００は、第２の実施形態で説明した図２の光送信器１００と同様に、それぞれ２台のキャリア２０１、２０２、サブキャリア発生器３０１、３０２、帯域可変フィルタ４０１、４０２および波長合分波器５０１、５０２、マトリクス光スイッチ６００、２０台のサブキャリア変調器７０１−７２０および信号処理部８００を備える。サブキャリア発生器３０１、３０２はそれぞれ最大１２本のサブキャリアを発生することができ、２０台のサブキャリア変調器７０１−７２０はそれぞれ１キャリアあたり１００Ｇｂｐｓのスループットを有する。つまり、１台のライン側Ｉ／Ｆ１４００は、２Ｔｂｐｓのスループットを有する。
【００７６】
以下、ネットワーク制御部１６００からの要求スループット量が、１台のライン側Ｉ／Ｆ１４００（光送信器１００）の送信スループット能力値を超える場合について説明する。例えば、ネットワーク制御部１６００からＥｎｄ  ｔｏ  Ｅｎｄで２．２Ｔｂｐｓの要求スループットがあり、光ノード制御部１３００がそれを２台のライン側Ｉ／Ｆ１４００で処理する場合について考える。この場合に、一般的な光ノード装置２０００’において扱われるサブキャリアのスペクトルの一例を図１０に、本実施形態に係る光ノード装置２０００において扱われるサブキャリアのスペクトルの一例を図１１に示す。
【００７７】
図１０に示すように、一般的な光ノード装置２０００’において、光ノード制御部１３００’が２２本のサブキャリア要求を受けた場合、光ノード制御部１３００’は、２０本のサブキャリアを１台目のライン側Ｉ／Ｆ１４００’から使用し、不足した２本のサブキャリアを２台目のライン側Ｉ／Ｆ１４００’から使用する。すなわち、２．２Ｔｂｐｓの要求スループットがある場合、２．２Ｔｂｐｓのスループットは２Ｔｂｐｓと２００Ｇｂｐｓに分割される。しかし、この方式では、図１０に示すように、サービスを区切る１組のガードバンドに加えて、キャリア間をセパレートするためのガードバンドＧＢを付与する必要がある。
【００７８】
一方、図１１に示すように、本実施形態に係る光ノード装置２０００において、光ノード制御部１３００が２２本のサブキャリア要求を受けた場合、光ノード制御部１３００は、クロスコネクト部１２００Ｂを制御することによって、１２本のサブキャリアを１台目のライン側Ｉ／Ｆ１４００から使用し、１０本のサブキャリアを２台目のライン側Ｉ／Ｆ１４００から使用する。すなわち、光ノード制御部１３００は、クロスコネクト部１２００Ｂを制御することによって、１台目のライン側Ｉ／Ｆ１４００に１．２Ｔｂｐｓ分のクライアント信号を扱わせ、２台目のライン側Ｉ／Ｆ１４００に１．０Ｔｂｐｓ分のクライアント信号を扱わせる。
【００７９】
この場合、１台目のライン側Ｉ／Ｆ１４００においては、１．２Ｔｂｐｓ分のクライアント信号がクライアント側Ｉ／Ｆ１１００から信号処理部８００を介して１２台のサブキャリア変調器（例えば、サブキャリア変調器７０１−７１２）へ出力される。一方、１．２Ｔｂｐｓ分のサブキャリアがサブキャリア発生器３０１において生成され、帯域可変フィルタ４０１、波長合分波器５０１およびマトリクス光スイッチ６００を介して１２台のサブキャリア変調器７０１−７１２へ出力される。
【００８０】
１２台のサブキャリア変調器７０１−７１２にはそれぞれ、マトリクス光スイッチ６００からのサブキャリアと信号処理部８００からのクライアント信号とが入力され、サブキャリアをクライアント信号を用いて変調して１２個の変調信号が生成される。そして、１台目のライン側Ｉ／Ｆ１４００は、生成された１２個の変調信号に１組のガードバンドを付与し、光マルチキャストスイッチ１５００へ出力する。ここで、１つのサブキャリア発生器３０１においてサブキャリアを生成できることから、キャリア間をセパレートするためのガードバンドＧＢは不要である。
【００８１】
一方、２台目のライン側Ｉ／Ｆ１４００においては、１０台のサブキャリア変調器（例えば、サブキャリア変調器７０１−７１０）に、１．０Ｔｂｐｓ分のクライアント信号およびサブキャリアが入力される。２台目のライン側Ｉ／Ｆ１４００は、１０台のサブキャリア変調器７０１−７１０において生成された１０個の変調信号に１組のガードバンドを付与し、光マルチキャストスイッチ１５００へ出力する。
【００８２】
光マルチキャストスイッチ１５００は、１台目のライン側Ｉ／Ｆ１４００から入力された１．２Ｔｂｐｓのスループットを第１のサービスとして所望の光ノード装置へ転送すると共に、２台目のライン側Ｉ／Ｆ１４００から入力された１．０Ｔｂｐｓのスループットを第２のサービスとして所望の光ノード装置へ転送する。
【００８３】
上記のように、本実施形態に係る光通信システム１０００Ｂにおいて、光ノード制御部１３００がライン側Ｉ／Ｆ１４００のスループットに応じて、使用されるライン側Ｉ／Ｆ１４００の組み合わせを制御することにより、光ノード装置２０００内のハードウエアリソースの利用効率を最大化することができる。
【００８４】
さらに、本実施形態に係る光通信システム１０００Ｂにおいて、光ノード制御部１３００が、光ノード装置２０００に収容されている複数のライン側Ｉ／Ｆ１４００で生成されるサブキャリアを光ノード装置２０００単位で制御し、１つのサブキャリア発生器３０１で生成される数以下となるように、例えば、２２本のサブキャリアを１０本と１２本とに分割して２台のライン側Ｉ／Ｆ１４００を用いる。これにより、ガードバンドＧＢの数を小さくすることができる。
【００８５】
（第６の実施形態）
第６の実施形態について説明する。本実施形態に係る光通信システムのシステム構成図を図１２に示す。本実施形態に係る光通信システム１０００Ｃは、複数のサービスに対して、互いに隣接しない、複数の連続したサブキャリアをそれぞれ使用することを特徴とする。
【００８６】
図１２において、光通信システム１０００Ｃは、少なくとも３つの光ノード装置Ｄ、Ｅ、Ｆを備える。光ノード装置Ｄ、Ｅ、Ｆはそれぞれ、第２の実施形態で説明した図２の光送信器１００を２台ずつ備える。以下、一方を第３の光送信器１００’、他方を第４の光送信器１００”と記載する。すなわち、第３の光送信器１００’および第４の光送信器１００”はそれぞれ、キャリア２０１、２０２、サブキャリア発生器３０１、３０２、帯域可変フィルタ４０１、４０２、波長合分波器５０１、５０２、マトリクス光スイッチ６００、サブキャリア変調器７０１−７２０および信号処理部８００等を備え、複数のサービスを同時に収容できる。
【００８７】
例えば、光ノード装置Ｄに収容されている光送信器は、１つの連続サブキャリア帯域に２のサービスを収容している。具体的には、光ノード装置Ｄから光ノード装置Ｅへサービス３００１を転送し、光ノード装置Ｄから光ノード装置Ｆへサービス３００２を転送する。ここで、光ノード装置Ｄからサービス３００１、３００２を転送する時に、さらに、光ノード装置Ｄから光ノード装置Ｅへの通信スループットのアップグレード要求が発生した場合について考える。この場合の本実施形態に係る光通信システム１０００Ｃにおける送信信号のスペクトル図を図１２に合せて示すと共に、一般的な光通信システム１０００’における送信信号のスペクトル図を図１３に示す。
【００８８】
図１３に示すように、一般的な光通信システム１０００’は、２つのサービス３００１、３００２に対するサブキャリアを配置順に使用する。図１３では、左から順番に使用する例を示す。従って、一般的な光通信システム１０００’においては、光ノード装置Ｄから光ノード装置Ｅへさらにサービス３００３が追加された場合、追加されたサービス３００３に対して、光ノード装置Ｆ向けサービス３００２に使用されるサブキャリア群の後段のサブキャリア群を使用することになる。この場合、追加されたサービス３００３用にガードバンドＧＢが余分に必要になる。
【００８９】
一方、図１２に示すように、本実施形態に係る光通信システム１０００Ｃは、２つのサービス３００１、３００２に対して互いに隣接しない複数の連続したサブキャリアをそれぞれ使用する。図１２では、連続したサブキャリアの両端から、２つのサービス３００１、３００２へのサブキャリア群を割り当てる例を示した。これにより、光ノード装置Ｄから光ノード装置Ｅへさらにサービス３００３を追加する場合、追加されたサービス３００３に対して光ノード装置Ｅ向けサービス３００１に使用されるサブキャリア群に隣接するサブキャリア群を充てることができ、サービス３００１、３００３に対して１つのガードバンドＧＢの付与だけで済む。
【００９０】
以上のように、本実施形態に係る光通信システム１０００Ｃは、複数の光ノード装置へサービスを転送している時に、通信スループットのアップグレード要求が発生した場合であっても、付与されるガードバンドＧＢの数を小さくすることができる。
【００９１】
なお、本実施形態では、光ノード装置Ｄ、Ｅ、Ｆが第２の実施形態で説明した光送信器１００をそれぞれ２台ずつ含む場合について説明したが、光ノード装置Ｄ、Ｅ、Ｆが第２の実施形態、第２の実施形態の変形例または第３の実施形態で説明した光送信器１００、１００Ｂ、１００Ｃのいずれかを複数台ずつ備えることでも良い。
【００９２】
（第７の実施形態）
第７の実施形態について説明する。本実施形態に係る光送信器のブロック構成図を図１４に示す。図１４において、光送信器１は、サブキャリア調整手段２、符号化処理手段３、複数の変調手段４および制御手段５を備える。
【００９３】
サブキャリア調整手段２は、制御手段５から入力された制御信号に基づいて、複数のサブキャリアを所定の出力ポートを介して複数の変調手段４へ出力する。本実施形態に係るサブキャリア調整手段２は、サブキャリアの光周波数帯域幅を可変制御して所定の出力ポートへ出力する。
【００９４】
符号化処理手段３は、制御手段５から入力された制御信号に基づいて、クライアントデータを処理して所定の出力レーンへマッピングする。本実施形態に係る符号化処理手段３は、制御信号に基づいて、転送フレームの出力レーン数を決定すると共に、決定した出力レーン数に基づいてクライアントデータをマッピングする。
【００９５】
複数の変調手段４はそれぞれ、サブキャリア調整手段２の出力ポートおよび符号化処理手段３の出力レーンと接続され、入力されたサブキャリアを入力されたクライアントデータによって変調し、変調信号を出力する。ここで、複数の変調手段４から出力された複数の変調信号は、送信先の方路ごとに集約され、サブキャリアの周波数帯域幅および送信先に基づいて、所定のガードバンドが付与され、送信信号として光送信器１から出力される。
【００９６】
制御手段５は、送信情報に基づいて、制御信号を生成し、サブキャリア調整手段２および符号化処理手段３へ出力する。ここで、送信情報には、送信信号（変調信号）の送信先に関する情報や、送信されるサービスの転送スループット情報等が含まれる。そして、本実施形態に係る制御手段５は、送信信号に付与されるガードバンドの数を小さくするための制御信号を生成する。
【００９７】
以上のように構成された光送信器１は、複数のサービスを収容することができ、且つ、この光送信器１から送信される送信信号に付与される光周波数帯域のガードバンドの数を小さくすることができる。
【００９８】
本願発明は上記実施形態に限定されるものではなく、この発明の要旨を逸脱しない範囲の設計の変更等があってもこの発明に含まれる。
【産業上の利用可能性】
【００９９】
本願発明は、複数のサブキャリアにサービスを収容して送受信する光通信システムに広く適用することができる。【０１００】
この出願は、２０１４年３月１９日に出願された日本出願特願２０１４−０５６８４５および２０１４年１１月２６日に出願された日本出願特願２０１４−２３９１０２を基礎とする優先権を主張し、その開示の全てをここに取り込む。
【符号の説明】
【０１０１】
１    光送信器
２    サブキャリア調整手段
３    符号化処理手段
４    変調手段
５    制御手段
１０    光送信器
２０    サブキャリア生成手段
３０    サブキャリア調整手段
４０    第１の波長合分波器
５０    第２の波長合分波器
６０    振当手段
７０    変調手段
８０    符号化処理手段
１００、１００Ｂ、１００Ｃ    光送信器
１１０    制御部
２００Ｃ    キャリア
２０１、２０２    キャリア
３００Ｃ    サブキャリア発生器
３０１、３０２    サブキャリア発生器
４０１、４０２    帯域可変フィルタ
５０１、５０２    波長合分波器
６００    マトリクス光スイッチ
７０１−７２０    サブキャリア変調器
８００    信号処理部
９００Ｂ、９００Ｃ    光マルチキャストスイッチ
１０００、１０００Ｂ、１０００Ｃ    光通信システム
１１００    クライアント側インターフェース
１２００    フレーマ
１２００Ｂ    クロスコネクト部
１３００    光ノード制御部
１４００    ライン側インターフェース部
１５００    光マルチキャストスイッチ
１６００    ネットワーク制御部
２０００、２００１−２００Ｎ    光ノード装置
【図１】
2015141188.tif 000003
【図２】
2015141188.tif 000004
【図３】
2015141188.tif 000005
【図４】
2015141188.tif 000006
【図５】
2015141188.tif 000007
【図６】
2015141188.tif 000008
【図７】
2015141188.tif 000009
【図８Ａ】
2015141188.tif 000010
【図８Ｂ】
2015141188.tif 000011
【図９】
2015141188.tif 000012
【図１０】
2015141188.tif 000013
【図１１】
2015141188.tif 000014
【図１２】
2015141188.tif 000015
【図１３】
2015141188.tif 000016
【図１４】
2015141188.tif 000017
【国際調査報告】
2015141188.tif 000018
2015141188.tif 000019
2015141188.tif 000020
2015141188.tif 000021